(57)【要約】【課題】バーナボディ５上に着脱自在に装着される環状のバーナキャップ６を備えるコンロ用バーナであって、バーナボディがベース板部５１を有するものにおいて、バーナ内周空間を経由しての二次空気の供給を可能とし、且つ、ベース板部に付着した汚れを容易に拭き取ることができるようにする。【解決手段】バーナボディ５は、ベース板部５１の上面に立設した周方向にのびるケース部５２を備え、ケース部５２の内部空間に混合気が供給される。ケース部５２をベース板部５１の周方向の少なくとも１箇所で分断してケース部が存在しない空隙部５３を設ける。バーナキャップ６はケース部５２及び空隙部５３を上方から覆うように形成される。バーナキャップ６に、ケース部５２の外周部と内周部との少なくとも一方に位置する炎孔６３と、空隙部５３に臨む炎孔６４とが設けられる。【選択図】図１
2008202874.tif 000002
【特許請求の範囲】
【請求項１】
バーナボディとバーナボディ上に着脱自在に装着される環状のバーナキャップとを備え、バーナキャップの外周部と内周部との少なくとも一方に炎孔が設けられ、バーナボディ内に供給された混合気が炎孔から噴出して燃焼するようにしたコンロ用バーナにおいて、
バーナボディは、ベース板部と、ベース板部の中心部から径方向外方に離れた部分の上面に立設した周方向にのびる、上方に開口する内部空間を有するケース部とを備え、ケース部の内部空間に混合気が供給されるようにすると共に、ケース部をベース板部の周方向の少なくとも１箇所で分断することによりケース部が存在しない空隙部が設けられ、
バーナキャップは、ケース部及び空隙部を上方から覆うように形成され、ケース部を覆うバーナキャップの部分の外周部と内周部との少なくとも一方に炎孔が設けられることを特徴とするコンロ用バーナ。
【請求項２】
前記空隙部に隣接する前記ケース部の周方向端部に合致する前記バーナキャップの部分に、空隙部に臨む第２の炎孔が設けられることを特徴とする請求項１記載のコンロ用バーナ。
【請求項３】
請求項２記載のコンロ用バーナであって、点火プラグと火炎検知素子とを備え、これら点火プラグと火炎検知素子は前記ベース板部を通して前記空隙部に挿入されることを特徴とするコンロ用バーナ。
【請求項４】
コンロの天板上に載置する五徳に具備する五徳爪と同一方位の周方向箇所に前記空隙部が位置することを特徴とする請求項１〜３の何れか１項記載のコンロ用バーナ。
【発明の詳細な説明】
【技術分野】
【０００１】
本発明は、バーナボディとバーナボディ上に着脱自在に装着される環状のバーナキャップとを備え、バーナキャップの外周部と内周部との少なくとも一方に炎孔が設けられ、バーナボディ内に供給された混合気が炎孔から噴出して燃焼するようにしたコンロ用バーナに関する。
【背景技術】
【０００２】
従来、この種のコンロ用バーナにおいては、バーナボディが環状に形成され、炎孔から噴出する混合気の燃焼部にコンロ本体内の空気がバーナボディで囲われるバーナ内周空間を経由して燃焼用二次空気として供給されるようにしている。尚、バーナキャップの外周部に炎孔を形成した外炎式バーナでは、混合気の燃焼部にバーナ外方から直接的に二次空気が供給されるが、燃焼を良好にするには、混合気の燃焼部にバーナ内周空間からバーナキャップの上方空間を介してバーナ内方からも二次空気を供給することが望まれる。従って、外炎式バーナにおいても、バーナ内周空間を経由しての二次空気の供給が行われるようにすることが必要である。
【０００３】
然し、上記のものでは、煮こぼれを生じた場合、煮こぼれ汁がバーナ内周空間を通してコンロ本体内に落下してしまう。
【０００４】
従来、かかる不具合を解消したコンロ用バーナとして、特許文献１に記載のものが知られている。このバーナのバーナボディは、ベース板部と、ベース板部の上面に周方向の間隙を存して立設した複数の中空の支柱部と、これら支柱部を介してベース板部の上方に支持される上向きに開口する環状のヘッド部とを備えるものに構成される。そして、混合気が支柱部の内部空間を介してヘッド部内に供給され、ヘッド部を上方から覆う環状のバーナキャップの外周部と内周部との少なくとも一方に形成した炎孔から混合気が噴出して燃焼する。
【０００５】
このものでは、ヘッド部で囲われるバーナ内周空間に落下した煮こぼれ汁がベース板部で受け止められる。そして、煮こぼれ汁はベース板部から支柱部間の周方向間隙を通してコンロ天板上に排出され、コンロ本体内への煮こぼれ汁の落下が防止される。尚、このバーナでは、バーナ内周空間へのコンロ本体内からの空気の導入がベース板部により遮断されるが、バーナ外方から支柱部間の周方向間隙を介してバーナ内周空間に空気が導入され、バーナ内周空間を経由しての二次空気の供給が行われる。
【０００６】
ところで、上記バーナのベース板部はこれに落下する煮こぼれ汁で汚れる。そして、支柱間の周方向間隙に位置するベース板部の部分の上方にはヘッド部が存在するため、この部分に付着した汚れは容易に拭き取ることができず、清掃が面倒になる。
【特許文献１】特開２００５−２５７１５３号公報
【発明の開示】
【発明が解決しようとする課題】
【０００７】
本発明は、以上の点に鑑み、バーナボディのベース板部に付着した汚れを容易に拭き取ることができるようにしたコンロ用バーナを提供することをその課題としている。
【課題を解決するための手段】
【０００８】
上記課題を解決するために、本発明は、バーナボディとバーナボディ上に着脱自在に装着される環状のバーナキャップとを備え、バーナキャップの外周部と内周部との少なくとも一方に炎孔が形成され、バーナボディ内に供給された混合気が炎孔から噴出して燃焼するようにしたコンロ用バーナにおいて、バーナボディは、円盤状のベース板部と、ベース板部の中心部から径方向外方に離れた部分の上面に立設した周方向にのびる、上方に開口する内部空間を有するケース部とを備え、ケース部の内部空間に混合気が供給されるようにすると共に、ケース部をベース板部の周方向の少なくとも１箇所で分断することによりケース部が存在しない空隙部が設けられ、バーナキャップは、ケース部及び空隙部を上方から覆うように形成され、ケース部を覆うバーナキャップの部分の外周部と内周部との少なくとも一方に炎孔が設けられることを特徴とする。
【０００９】
本発明によれば、ケース部で囲われるバーナ内周空間に落下した煮こぼれ汁はベース板部で受け止められる。そして、ベース板部で受け止められた煮こぼれ汁はケース部の分断箇所に設けられる空隙部を通ってコンロ天板上に排出される。従って、コンロ本体内への煮こぼれ汁の落下を防止できる。また、バーナ外方から空隙部を介してバーナ内周空間に空気が導入されるため、バーナ内周空間を経由しての二次空気の供給が行われる。
【００１０】
尚、これらの作用効果は上記従来例と同様である。ここで、上記従来例では、煮こぼれ汁の排出通路及び空気通路となる支柱部間の周方向間隙がバーナボディに固定のヘッド部で上方から覆われる。一方、本発明においては、煮こぼれ汁の排出通路及び空気通路となるケース部の分断箇所の空隙部がバーナボディに着脱自在なバーナキャップで上方から覆われる。そのため、バーナキャップを取外すと、空隙部が上方に開放される。従って、空隙部に位置するベース板部の部分に付着した汚れも容易に拭き取ることができ、清掃性が向上する。
【００１１】
また、本発明においては、空隙部に隣接するケース部の周方向端部に合致するバーナキャップの部分に、空隙部に臨む第２の炎孔が設けられることが望ましい。ここで、ケース部を覆うバーナキャップの部分の外周部と内周部との少なくとも一方に設ける炎孔の周方向配置ピッチは空隙部において広くなり、この部分での火移りが問題になる。然し、上記第２の炎孔を形成すれば、第２の炎孔を介して火炎が伝播し、空隙部における火移りが良好に行われる。
【００１２】
更に、上記第２の炎孔を形成する場合、コンロ用バーナに付設する点火電極と火炎検知素子はベース板部を通して空隙部に挿入されることが望ましい。これによれば、点火電極と火炎検知素子をバーナボディの外周に出すことなく設置でき、点火電極や火炎検知素子に煮こぼれ汁がかかることを防止できる。
【００１３】
また、本発明においては、コンロの天板上に載置する五徳に具備する五徳爪と同一方位の周方向箇所に上記空隙部が位置することが望ましい。これによれば、ケース部を覆うバーナキャップの部分の外周部に設けられる炎孔が五徳爪からずれる。そのため、この炎孔に形成される火炎が五徳爪に触れて燃焼不良を生ずることを防止できる。
【発明を実施するための最良の形態】
【００１４】
図１乃至図３を参照して、１は図示省略したコンロ本体の上面を覆う天板、２はバーナを示している。天板１にはバーナ用開口１ａが開設されている。また、天板１上には、バーナ用開口１ａを囲うようにして五徳３が載置される。そして、五徳３に載置する調理容器がバーナ２で加熱される。
【００１５】
バーナ２は、コンロ本体内に設置される混合管４と、混合管４に接続され天板１上に露出するバーナボディ５と、バーナボディ５上に着脱自在に載置される環状のバーナキャップ６とで構成される。コンロ本体内には、混合管４の上流端に臨む図示省略したガスノズルが設けられている。そして、ガスノズルからの燃料ガスと混合管４に吸込まれる一次空気との混合気が混合管４内で生成される。混合管４の下流端部は、上方に屈曲して天板１のバーナ用開口１ａに挿入される内外２重の筒状に形成されている。
【００１６】
バーナボディ５は、混合管４の下流端部の上面を閉塞するように混合管４に一体成形した円盤状のベース板部５１と、ベース板部５１の中心部から径方向外方に離れた部分の上面に立設した周方向にのびるケース部５２とを備える。ベース板部５１の外周には、天板１のバーナ用開口１ａを上方から覆うカバーリング５１ａが装着されている。また、ベース板部５１の中心には、調理容器の底面に当接してその温度を検知する鍋底温度センサ７の支持パイプ７ａを液密に挿通するセンサ挿通孔５１ｂが形成されている。
【００１７】
ケース部５２は上方に開口する内部空間を有しており、この内部空間に混合管４からの混合気が供給される。また、ケース部５２はベース板部５１の周方向４箇所で分断されている。換言すれば、ベース板部５１の上面に円弧状のケース部５２が４個立設されている。そして、これら各ケース部５２，５２間に夫々ケース部５２が存在しない空隙部５３が設けられる。
【００１８】
バーナキャップ６は、これらケース部５２及び空隙部５３を上方から覆うように形成される。バーナキャップ６の下面内周部には、ケース部５２の内周面に嵌合する筒部６１が垂設されている。また、バーナキャップ６の下面には、各ケース部５２の外周部の上端及び空隙部５３に隣接する各ケース部５２の周方向端部の上端に着座する突条６２が垂設されている。そして、ケース部５２の外周部の上端に着座する突条６２の部分に複数の溝を形成し、これら溝によりバーナキャップ６の外周部に位置する第１の炎孔６３が構成されるようにしている。更に、ケース部５２の周方向端部の上端に着座する突条６２の部分にも複数の溝を形成し、これら溝により空隙部５３に臨む第２の炎孔６４が構成されるようにしている。
【００１９】
ケース部５２の内部空間に供給された混合気は第１の炎孔６３及び第２の炎孔６４から噴出して燃焼する。第１の炎孔６３から噴出する混合気の燃焼部にはバーナ外方から二次空気が供給される。但し、燃焼性を良好にするには、ケース部５２で囲われるバーナ内周空間からバーナ上方空間（バーナキャップ６の上面と調理容器との間の空間）を介してバーナ内方からも二次空気が供給されるようにする必要がある。
【００２０】
ここで、本実施形態では、バーナ外方からケース部５２の分断箇所に設けられる空隙部５３を介してバーナ内周空間に空気が導入される。そのため、バーナ内周空間を経由しての二次空気の供給が行われ、燃焼性が良好になる。また、空隙部５３を設けることで問題になる空隙部５３での火移り性も、空隙部５３に臨む第２の炎孔６４を介して火炎が伝播するため、良好になる。
【００２１】
また、調理容器からの煮こぼれを生じて、煮こぼれ汁がバーナ内周空間に落下した場合、この煮こぼれ汁はベース板部５１で受け止められる。そして、ベース板部５１で受け止められた煮こぼれ汁は空隙部５３を通してベース板部５１の外周のカバーリング５１ａに流れ、そこからバーナ用開口２ａより外方の天板２上の部分に排出される。従って、コンロ本体１内への煮こぼれ汁の落下が防止される。
【００２２】
一方、ベース板部５１はこれに落下する煮こぼれ汁等で汚れるため、この汚れを容易に拭き取れるようにすることが望まれる。ここで、ベース板部５１の中央部は上方に開放されているため、この部分に付着した汚れは容易に拭き取ることができる。また、バーナキャップ６を取外すことにより、空隙部５３も上方に開放される。従って、空隙部５３に位置するベース板部５１の部分に付着した汚れも容易に拭き取ることができ、清掃性が向上する。
【００２３】
また、本実施形態のバーナ２は、４個の五徳爪３ａを有する五徳３に対応するものであり、４個の五徳爪３ａと同一方位の周方向箇所に４つの空隙部５３が位置している。そのため、バーナキャップ６の外周部の第１の炎孔６３に形成される火炎が五徳爪３ａに触れて燃焼不良を生ずることはない。
【００２４】
また、バーナ２に付設する点火プラグ８と火炎検知素子たる熱電対９は、図３に示す如く、夫々ベース板部５１を通して２つの空隙部５３に挿入されている。この場合、点火プラグ８を挿入した空隙部５３に臨む第２の炎孔６４は点火用炎孔として活用され、熱電対９を挿入した空隙部５３に臨む第２の炎孔６４は火炎検知用炎孔として活用される。
【００２５】
尚、点火プラグと熱電対とをケース部５２の径方向外側に配置することも可能である。然し、これでは、点火プラグや熱電対に煮こぼれ汁がかかる可能性がある。これに対し、本実施形態では、バーナキャップ６で覆われる空隙部５３に点火プラグ８と熱電対９が収められるため、点火電極８や熱電対９に煮こぼれ汁がかかることを防止できる。
【００２６】
以上、本発明の実施形態について図面を参照して説明したが、本発明はこれに限定されない。例えば、上記実施形態のバーナ２は、ケース部５２を周方向４箇所で分断したが、周方向１箇所乃至３箇所或いは５箇所以上でケース部５２を分断することも可能である。
【００２７】
また、上記実施形態では、ケース部５２を覆うバーナキャップ６の部分の外周部に炎孔６３を設けているが、ケース部５２を覆うバーナキャップ６の部分の内周部に炎孔を設けても良く、更には、ケース部５２を覆うバーナキャップ６の部分の外周部と内周部との双方に炎孔を設けても良い。
【図面の簡単な説明】
【００２８】
【図１】本発明の実施形態のバーナを具備するコンロの要部の斜視図。
【図２】図１のＩＩ−ＩＩ線で切断した切断面図。
【図３】図１のＩＩＩ−ＩＩＩ線で切断した切断面図。
【符号の説明】
【００２９】
２…バーナ、５…バーナボディ、５１…ベース板部、５２…ケース部、５３…空隙部、６…バーナキャップ、６３…炎孔、６４…第２の炎孔、８…点火プラグ、９…熱電対（火炎検知素子）。
【図１】
2008202874.tif 000003
【図２】
2008202874.tif 000004
【図３】
2008202874.tif 000005